(57)【要約】      （修正有）【課題】  使用中の帽子内に装着して、乾燥・脱臭を図る。【解決手段】  帽子ヘルメット装着型乾燥・脱臭用具１０は表面材１１と、乾燥剤シート１４と、裏面材１８により構成される。表面材１１は、不織布でつくられ、適宜の柄模様や、商品名１２等が必要に応じてプリントされる。乾燥剤シート１４は、シリカゲル粒子１５を不織布に挟んで密着したシートである。この乾燥剤シート１４は、例えば直径寸法が１５５ｍｍに形成される。裏面材１８は、表面材１１と同様に不織布でつくられ、必要に応じて、プリント等が施される。表面材１１と裏面材１８は、例えば直径寸法が１７０ｍｍに形成される。表面材１１と裏面材１８の間に乾燥剤シート１４を挟み、熱溶着手段ＨＳで接合する。帽子ヘルメット装着型乾燥・脱臭用具１０の厚さ寸法Ｔ１は４〜５ｍｍに設定される。【選択図】        図７
2005305325.tif 000002
【特許請求の範囲】
【請求項１】
帽子内に装着される乾燥・脱臭用具において、不織布でつくられる表面材と、不織布でつくられる裏面材と、表面材と裏面材に挟まれる乾燥剤シートを備え、
乾燥剤シートは、シリカゲル粒子を不織布で挟んで密着したシートであって、全体を加熱圧着して構成される帽子ヘルメット装着型乾燥・脱臭用具。
【請求項２】
帽子内に装着される乾燥・脱臭用具において、不織布でつくられる表面材と、不織布でつくられる裏面材と、表面材と裏面材に挟まれる乾燥・脱臭用シートを備え、
乾燥・脱臭用シートは、脱臭溶液をシリカゲルに含浸した粒子を不織布で挟んで密着したシートであって、全体を加熱圧着して構成される帽子ヘルメット装着型乾燥・脱臭用具。
【請求項３】
帽子内に装着される乾燥・脱臭用具において、不織布でつくられる表面材と、不織布でつくられる裏面材と、表面材と裏面材に挟まれる乾燥・脱臭用シートを備え、
乾燥・脱臭用シートは、シリカゲルと活性炭をミックスした粒子を不織布で挟んで分離帯により分包して密着したシートであって、周囲を加熱圧着して構成される帽子ヘルメット装着型乾燥・脱臭用具。
【請求項４】
シリカゲルと活性炭をミックスした粒子に、脱臭溶液を含浸させた請求項３記載の帽子ヘルメット装着型乾燥・脱臭用具。
【請求項５】
帽子内に装着される乾燥・脱臭用具において、不織布でつくられる表面材と、不織布でつくられる裏面材と、表面材と裏面材に挟まれる脱臭溶液含浸シートと、乾燥・脱臭用シートを備え、
乾燥・脱臭用シートは、シリカゲルと活性炭をミックスした粒子を不織布で挟んで分離帯により分包して密着したシートであって、周囲を加熱圧着して構成される帽子ヘルメット装着型乾燥・脱臭用具。
【請求項６】
帽子内に装着される乾燥・脱臭用具において、不織布でつくられる表面材と、不織布でつくられる裏面材と、表面材と裏面材に挟まれる脱臭溶液含浸シートと、乾燥剤シートを備え、
乾燥剤シートは、シリカゲルの粒子を不織布で挟んで分離帯により分包して密着したシートであって、周囲を加熱圧着して構成される帽子ヘルメット装着型乾燥・脱臭用具。
【請求項７】
帽子内に装着される乾燥・脱臭用具において、不織布でつくられる表面材と、不織布でつくられる裏面材と、表面材と裏面材に挟まれる中袋シートを備え、
中袋シートは、シリカゲルに脱臭液を含浸させた粒子不織布で挟んで、周囲と中央部を円形に接着したシートであって、周囲を加熱圧着して構成される帽子ヘルメット装着型乾燥・脱臭用具。
【発明の詳細な説明】
【技術分野】
【０００１】
本発明は、着用中の帽子に装着される乾燥・脱臭用具に関する。
【背景技術】
【０００２】
帽子やヘルメット等は、使用者の汗等が内部に付着して、悪臭等の原因となることが多い。
下記の特許文献１は、野球用のヘルメットの内部を乾燥させ、快適な使用感を保つ構造を開示している。
【０００３】
【特許文献１】特開２０００−３７４９５号公報
【発明の開示】
【発明が解決しようとする課題】
【０００４】
本発明は、使用中の帽子やヘルメット等の内部に装着して、内部の乾燥・脱臭を図る用具を提供するものである。
【課題を解決するための手段】
【０００５】
本発明の帽子内に装着される乾燥・脱臭用具は、不織布でつくられる表面材と、不織布でつくられる裏面材と、表面材と裏面材に挟まれる乾燥剤シートを備え、
乾燥剤シートは、シリカゲル粒子を不織布で挟んで密着したシートであって、全体を加熱圧着して構成される。また、不織布でつくられる表面材と、不織布でつくられる裏面材と、表面材と裏面材に挟まれる乾燥・脱臭用シートを備え、
乾燥・脱臭用シートは、脱臭溶液をシリカゲルに含浸した粒子を不織布で挟んで密着したシートであって、全体を加熱圧着して構成される。
帽子内に装着される乾燥・脱臭用具において、さらに、不織布でつくられる表面材と、不織布でつくられる裏面材と、表面材と裏面材に挟まれる乾燥・脱臭用シートを備え、乾燥・脱臭用シートは、シリカゲルと活性炭をミックスした粒子を不織布で挟んで分離帯により分包して密着したシートであって、周囲を加熱圧着して構成される。
本発明の帽子内に装着される乾燥・脱臭用具は、また、不織布でつくられる表面材と、不織布でつくられる裏面材と、表面材と裏面材に挟まれる脱臭溶液含浸シートと、乾燥・脱臭用シートを備え、乾燥・脱臭用シートは、シリカゲルと活性炭をミックスした粒子を不織布で挟んで分離帯により分包して密着したシートであって、周囲を加熱圧着して構成され、不織布でつくられる表面材と、不織布でつくられる裏面材と、表面材と裏面材に挟まれる脱臭溶液含浸シートと、乾燥剤シートを備え、乾燥剤シートは、シリカゲルの粒子を不織布で挟んで分離帯により分包して密着したシートであって、周囲を加熱圧着して構成されるものである。
【発明の効果】
【０００６】
本発明の脱臭乾燥用具は以上のように、使用した制帽、ヘルメット、帽子のような頭を覆うものの内部に装着されて、保管中に脱臭乾燥を図るものである。
使用者は常に快適な制帽等を使用することができ、公衆衛生上も有益である。
【発明を実施するための最良の形態】
【０００７】
図１〜６は、本発明の帽子ヘルメット装着型乾燥・脱臭用具の使用例を示す説明図である。
図１において、業務用の帽子Ｓ１は、使用者の頭部Ｈ１に被られる。本発明の帽子ヘルメット装着型乾燥・脱臭用具１０は、この使用中の帽子Ｓ１内に装着される。
図２乃至図４は、種々の形状、用途を有する帽子Ｓ２，Ｓ３，Ｓ４に本発明の帽子ヘルメット装着型乾燥・脱臭用具１０を装着した例を示す。
図５、図６はヘルメットＳ５，Ｓ６に本発明の帽子ヘルメット装着型乾燥・脱臭用具１０を装着した例を示す。
【０００８】
図７は、本発明の帽子ヘルメット装着型乾燥・脱臭用具１０の構造を示す説明図である。
帽子ヘルメット装着型乾燥・脱臭用具１０は表面材１１と、乾燥剤シート１４と、裏面材１８により構成される。
表面材１１は、不織布でつくられ、適宜の柄模様や、商品名１２等が必要に応じてプリントされる。
乾燥剤シート１４は、シリカゲル粒子１５を不織布に挟んで密着したシートである。この乾燥剤シート１４は、例えば直径寸法が１５５ｍｍに形成される。
裏面材１８は、表面材１１と同様に不織布でつくられ、必要に応じて、プリント等が施される。
【０００９】
表面材１１と裏面材１８は、例えば直径寸法が１７０ｍｍに形成される。表面材１１と裏面材１８の間に乾燥剤シート１４を挟み、熱溶着手段ＨＳで接合する。
帽子ヘルメット装着型乾燥・脱臭用具１０の厚さ寸法Ｔ１は４〜５ｍｍに設定される。
【００１０】
本発明の帽子ヘルメット装着型乾燥・脱臭用具１０は、全体が不織布で構成されているので、柔軟性に富み、異なる形状の帽子にも合わせることができる。
また、乾燥剤シート１４のシリカゲル１５は、上下を粒毎に不織布で密着されているので揺すっても音は発生せず、使用中の音の発生が防止でき、快適に装着することができる。
【００１１】
図８は、本発明の他の実施例を示す説明図である。
全体を符号２０で示す帽子ヘルメット装着型乾燥・脱臭用具は、表面材２１と乾燥・脱臭用シート２４と、裏面材２８により構成される。
表面材２１は不織布でつくられ、柄模様や、商品名２２等がプリントされる。
乾燥・脱臭用シート２４は脱臭溶液をシリカゲルに含浸した粒子２５を不織布に挟んで密着したシートである。
この乾燥・脱臭用シート２４は、例えば直径寸法が１５５ｍｍに形成される。
裏面材２８は、表面材２１と同様に不織布でつくられ、必要に応じて、プリント等が施される。
表面材２１と裏面材２８は、例えば直径寸法が１７０ｍｍに形成される。表面材２１と裏面材２８の間に乾燥・脱臭用シート２４を挟み、熱溶着手段ＨＳで接合する。
帽子ヘルメット装着型乾燥・脱臭用具２０の厚さ寸法Ｔ２は４〜５ｍｍに設定される。
【００１２】
図９は、本発明の更に他の実施例を示す説明図である。
全体を符号３０で示す帽子ヘルメット装着型乾燥・脱臭用具は、表面材３１と乾燥・脱臭用シート３４と、裏面材３８により構成される。
表面材３１は不織布でつくられ、柄模様や、商品名３２等がプリントされる。
乾燥・脱臭用シート３４は、シリカゲルと活性炭をミックスした粒子３５を不織布で挟んで密着したシートである。この際に分離帯Ｐ１により分包部３６を形成し、粒子３５の移動を制限する。
この乾燥・脱臭用シート３４は、例えば直径寸法が１５５ｍｍに形成される。
裏面材３８は、表面材３１と同様に不織布でつくられ、必要に応じて、プリント等が施される。
表面材３１と裏面材３８は、例えば直径寸法が１７０ｍｍに形成される。表面材３１と裏面材３８の間に乾燥・脱臭用シート３４を挟み、熱溶着手段ＨＳで接合する。
帽子ヘルメット装着型乾燥・脱臭用具３０の厚さ寸法Ｔ３は７〜８ｍｍに設定される。
【００１３】
図１０は、本発明の更に他の実施例を示す説明図である。
全体を符号４０で示す帽子ヘルメット装着型乾燥・脱臭用具は、表面材４１と乾燥・脱臭用シート４４と、裏面材４８により構成される。
表面材４１は不織布でつくられ、柄模様や、商品名４２等がプリントされる。
乾燥・脱臭用シート４４は、シリカゲルと活性炭をミックスした粒子４５に脱臭溶液を含浸させ、不織布で挟んで密着したシートである。この際に分離帯Ｐ１により分包部４６を形成し、粒子４５の移動を制限する。
この乾燥・脱臭用シート４４は、例えば直径寸法が１５５ｍｍに形成される。
裏面材４８は、表面材４１と同様に不織布でつくられ、必要に応じて、プリント等が施される。
表面材４１と裏面材４８は、例えば直径寸法が１７０ｍｍに形成される。表面材４１と裏面材４８の間に乾燥・脱臭用シート４４を挟み、熱溶着手段ＨＳで接合する。
帽子ヘルメット装着型乾燥・脱臭用具４０の厚さ寸法Ｔ４は７〜８ｍｍに設定される。
【００１４】
図１１は、本発明の更に他の実施例を示す説明図である。
全体を符号５０で示す帽子ヘルメット装着型乾燥・脱臭用具は、表面材５１と、脱臭溶液含浸シート５３と、乾燥・脱臭用シート５５と、裏面材５８により構成される。
表面材５１は不織布でつくられ、柄模様や、商品名５２等がプリントされる。
脱臭溶液含浸シート５３は、脱臭溶液５４が含浸された不織布でつくられる。
乾燥・脱臭用シート５５は、シリカゲルと活性炭をミックスした粒子５６を不織布で挟んで密着したシートである。この際に分離帯Ｐ１により分包部５７を形成し、粒子５６の移動を制限する。
脱臭溶液含浸シート５３と乾燥・脱臭用シート５５は、例えば直径寸法が１５５ｍｍに形成される。
裏面材５８は、表面材５１と同様に不織布でつくられ、必要に応じて、プリント等が施される。
表面材５１と裏面材５８は、例えば直径寸法が１７０ｍｍに形成される。表面材５１と裏面材５８の間に脱臭溶液含浸シート５３と乾燥・脱臭用シート５５を挟み、熱溶着手段ＨＳで接合する。
帽子ヘルメット装着型乾燥・脱臭用具５０の厚さ寸法Ｔ５は７〜８ｍｍに設定される。
【００１５】
図１２は、本発明の更に他の実施例を示す説明図である。
全体を符号６０で示す帽子ヘルメット装着型乾燥・脱臭用具は、表面材６１と、脱臭溶液含浸シート６３と、乾燥剤シート６５と、裏面材６８により構成される。
表面材６１は不織布でつくられ、柄模様や、商品名６２等がプリントされる。
脱臭溶液含浸シート６３は、脱臭溶液６４が含浸された不織布でつくられる。
乾燥剤シート６５は、シリカゲル粒子６６を不織布で挟んで密着したシートである。
脱臭溶液含浸シート６３と乾燥剤シート６５は、例えば直径寸法が１５５ｍｍに形成される。
裏面材６８は、表面材６１と同様に不織布でつくられ、必要に応じて、プリント等が施される。
表面材６１と裏面材６８は、例えば直径寸法が１７０ｍｍに形成される。表面材６１と裏面材６８の間に脱臭溶液含浸シート６３と乾燥剤シート６５を挟み、熱溶着手段ＨＳで接合する。
帽子ヘルメット装着型乾燥・脱臭用具６０の厚さ寸法Ｔ６は４〜５ｍｍに設定される。
【００１６】
図１３は、本発明の更に他の実施例を示す説明図である。
全体を符号７０で示す帽子ヘルメット装着型乾燥・脱臭用具は、表面材７１と、中袋シート７３と、裏面材７８により構成される。
表面材７１は不織布でつくられ、柄模様や、商品名７２等がプリントされる。
中袋シート７３は、シリカゲルに脱臭液を含浸された粒子７４を不織布で挟んで、周囲と中央部を円形に熱溶着手段ＨＳで密着したシートである。この溶着により、粒子５６の移動を制限し、騒音発生を防止する。
中袋シート７３は、例えば直径寸法が１５５ｍｍに形成される。
裏面材７８は、表面材７１と同様に不織布でつくられ、必要に応じて、プリント等が施される。
表面材７１と裏面材７８は、例えば直径寸法が１７０ｍｍに形成される。表面材７１と裏面材７８の間に中袋シート７３を挟み、熱溶着手段ＨＳで接合する。
帽子ヘルメット装着型乾燥・脱臭用具７０の厚さ寸法Ｔ７は１０〜１２ｍｍに設定される。
【図面の簡単な説明】
【００１７】
【図１】本発明の帽子ヘルメット装着型乾燥・脱臭用具の使用例を示す説明図。
【図２】本発明の帽子ヘルメット装着型乾燥・脱臭用具の使用例を示す説明図。
【図３】本発明の帽子ヘルメット装着型乾燥・脱臭用具の使用例を示す説明図。
【図４】本発明の帽子ヘルメット装着型乾燥・脱臭用具の使用例を示す説明図。
【図５】本発明の帽子ヘルメット装着型乾燥・脱臭用具の使用例を示す説明図。
【図６】本発明の帽子ヘルメット装着型乾燥・脱臭用具の使用例を示す説明図。
【図７】本発明の帽子ヘルメット装着型乾燥・脱臭用具の構造を示す説明図。
【図８】本発明の他の構造を示す説明図。
【図９】本発明の他の構造を示す説明図。
【図１０】本発明の他の構造を示す説明図。
【図１１】本発明の他の構造を示す説明図。
【図１２】本発明の他の構造を示す説明図。
【図１３】本発明の他の構造を示す説明図。
【符号の説明】
【００１８】
１０  帽子ヘルメット装着型乾燥・脱臭用具
１１  表面材
１４  乾燥剤シート
１５  シリカゲル粒子
１８  裏面材
【図１】
2005305325.tif 000003
【図２】
2005305325.tif 000004
【図３】
2005305325.tif 000005
【図４】
2005305325.tif 000006
【図５】
2005305325.tif 000007
【図６】
2005305325.tif 000008
【図７】
2005305325.tif 000009
【図８】
2005305325.tif 000010
【図９】
2005305325.tif 000011
【図１０】
2005305325.tif 000012
【図１１】
2005305325.tif 000013
【図１２】
2005305325.tif 000014
【図１３】
2005305325.tif 000015